【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
信号源から供給された原画像信号と、移動体の内部空間の明るさを検出する少なくとも１個の照度センサの検出出力と、前記移動体の移動状態を示す移動検出情報とを入力として、前記移動体の内部空間に配置されたＮ台（Ｎは２以上の整数）の表示装置の表示画質を制御する画質制御装置であって、
前記移動検出情報に基づいて、前記Ｎ台の表示装置の内の表示装置毎に前記少なくとも１個の照度センサの中から利用すべき照度センサを選択する照度選択部と、
前記Ｎ台の表示装置の内の表示装置毎に当該選択された照度センサの検出出力に基づいて前記表示画質を個別に制御する画質制御部と
を備えることを特徴とする画質制御装置。
【請求項２】
請求項１に記載の画質制御装置であって、前記移動検出情報は、前記移動体の速度、加速度及び角速度の中から選択された少なくとも１つを示す情報であることを特徴とする画質制御装置。
【請求項３】
信号源から供給された原画像信号と、移動体の内部空間の明るさを検出する少なくとも１個の照度センサの検出出力と、前記移動体の位置を示す位置検出情報とを入力として、前記移動体の内部空間に配置されたＮ台（Ｎは２以上の整数）の表示装置の表示画質を制御する画質制御装置であって、
前記位置検出情報に基づいて、前記Ｎ台の表示装置の内の表示装置毎に前記少なくとも１個の照度センサの中から利用すべき照度センサを選択する照度選択部と、
前記Ｎ台の表示装置の内の表示装置毎に当該選択された照度センサの検出出力に基づいて前記表示画質を個別に制御する画質制御部と
を備えることを特徴とする画質制御装置。
【請求項４】
請求項３に記載の画質制御装置であって、
前記移動体は、全地球測位システムを利用して地球上における当該移動体の現在位置を検出するＧＰＳ受信機を搭載し、
前記位置検出情報は、前記ＧＰＳ受信機により検出された現在位置を示す情報である
ことを特徴とする画質制御装置。
【請求項５】
請求項１から４のうちのいずれか１項に記載の画質制御装置であって、前記少なくとも１個の照度センサの個数は、前記Ｎよりも少ないことを特徴とする画質制御装置。
【請求項６】
請求項５に記載の画質制御装置であって、前記少なくとも１個の照度センサは、前記移動体の内部空間の互いに異なる位置に配置されたＭ個（Ｍは２以上の整数）の照度センサからなることを特徴とする画質制御装置。
【請求項７】
請求項１から６のうちのいずれか１項に記載の画質制御装置であって、
前記少なくとも１個の照度センサの利用条件を定めるルックアップテーブルをさらに備え、
前記照度選択部は、前記ルックアップテーブルを参照して当該利用すべき照度センサを選択する
ことを特徴とする画質制御装置。
【請求項８】
請求項７に記載の画質制御装置であって、前記ルックアップテーブルは、前記移動体の速度域に応じて利用されるべき照度センサを定めるものであることを特徴とする画質制御装置。
【請求項９】
請求項１から８のうちのいずれか１項に記載の画質制御装置であって、前記照度選択部は、前記移動体の進行方向一端が向いている方位を示す方位情報を取得し、前記方位情報に基づいて当該利用すべき照度センサを選択することを特徴とする画質制御装置。
【請求項１０】
請求項３または４に記載の画質制御装置であって、
前記位置検出情報で示される現在位置の気象情報を取得する情報取得部をさらに含み、
前記照度選択部は、前記気象情報に基づいて当該利用すべき照度センサを選択する
ことを特徴とする画質制御装置。
【請求項１１】
請求項３または４に記載の画質制御装置であって、
前記位置検出情報で示される現在位置を含む地域の地図情報を取得する情報取得部をさらに備え、
前記照度選択部は、前記地図情報に基づいて当該利用すべき照度センサを選択する
ことを特徴とする画質制御装置。
【請求項１２】
請求項１から１１のうちのいずれか１項に記載の画質制御装置であって、
現在時刻を示す時刻情報を取得する情報取得部をさらに備え、
前記照度選択部は、前記時刻情報に基づいて当該利用すべき照度センサを選択する
ことを特徴とする画質制御装置。
【請求項１３】
請求項１から１２のうちのいずれか１項に記載の画質制御装置であって、
前記原画像信号で表される画像の特徴量を検出する特徴解析部をさらに備え、
前記画質制御部は、前記特徴量に基づいて前記表示画質を制御する
ことを特徴とする画質制御装置。
【請求項１４】
請求項１３に記載の画質制御装置であって、
前記特徴量は、前記原画像信号で表される画像の平均輝度であり、
前記表示画質は、表示輝度を含む
ことを特徴とする画質制御装置。
【請求項１５】
信号源から供給された原画像信号と移動体の移動状態を示す移動検出情報とを入力として、前記移動体の内部空間に配置されたＮ台（Ｎは２以上の整数）の表示装置にそれぞれ画像を表示する画像表示システムであって、
前記移動体の内部空間の明るさを検出する少なくとも１個の照度センサと、
前記少なくとも１個の照度センサの検出出力に基づいて前記Ｎ台の表示装置の表示画質を制御する画質制御装置と
を備え、
前記画質制御装置は、
前記移動検出情報に基づいて、前記Ｎ台の表示装置の内の表示装置毎に前記少なくとも１個の照度センサの中から利用すべき照度センサを選択する照度選択部と、
前記Ｎ台の表示装置の内の表示装置毎に当該選択された照度センサの検出出力に基づいて前記表示画質を個別に制御する画質制御部と
を含むことを特徴とする画像表示システム。
【請求項１６】
信号源から供給された原画像信号と移動体の位置を示す位置検出情報とを入力として、前記移動体の内部空間に配置されたＮ台（Ｎは２以上の整数）の表示装置にそれぞれ画像を表示する画像表示システムであって、
前記移動体の内部空間の明るさを検出する少なくとも１個の照度センサと、
前記少なくとも１個の照度センサの検出出力に基づいて前記Ｎ台の表示装置の表示画質を制御する画質制御装置と
を備え、
前記画質制御装置は、
前記位置検出情報に基づいて、前記Ｎ台の表示装置の内の表示装置毎に前記少なくとも１個の照度センサの中から利用すべき照度センサを選択する照度選択部と、
前記Ｎ台の表示装置の内の表示装置毎に当該選択された照度センサの検出出力に基づいて前記表示画質を個別に制御する画質制御部と
を含むことを特徴とする画像表示システム。
【請求項１７】
請求項１５または１６に記載の画像表示システムであって、
前記画質制御装置は、前記少なくとも１個の照度センサの利用条件を定めるルックアップテーブルをさらに備え、
前記照度選択部は、前記ルックアップテーブルを参照して当該利用すべき照度センサを選択する
ことを特徴とする画像表示システム。
【請求項１８】
信号源から供給された原画像信号と、移動体の内部空間の少なくとも１箇所の明るさを検出する少なくとも１個の照度センサの検出出力と、前記移動体の移動状態を示す移動検出情報とを入力として、前記移動体の内部空間に配置されたＮ台（Ｎは２以上の整数）の表示装置の表示画質を制御する画質制御方法であって、
前記移動検出情報に基づいて、前記Ｎ台の表示装置の内の表示装置毎に前記少なくとも１個の照度センサの中から利用すべき照度センサを選択するステップと、
前記Ｎ台の表示装置の内の表示装置毎に当該選択された照度センサの検出出力に基づいて前記表示画質を個別に制御するステップと
を含むことを特徴とする画質制御方法。
【請求項１９】
信号源から供給された原画像信号と、移動体の内部空間の少なくとも１箇所の明るさを検出する少なくとも１個の照度センサの検出出力と、前記移動体の位置を示す位置検出情報とを入力として、前記移動体の内部空間に配置されたＮ台（Ｎは２以上の整数）の表示装置の表示画質を制御する画質制御方法であって、
前記位置検出情報に基づいて、前記Ｎ台の表示装置の内の表示装置毎に前記少なくとも１個の照度センサの中から利用すべき照度センサを選択するステップと、
前記Ｎ台の表示装置の内の表示装置毎に当該選択された照度センサの検出出力に基づいて前記表示画質を個別に制御するステップと
を含むことを特徴とする画質制御方法。
【請求項２０】
請求項１８または１９に記載の画質制御方法であって、当該利用すべき照度センサは、前記少なくとも１個の照度センサの利用条件を定めるルックアップテーブルを参照して選択されることを特徴とする画質制御方法。
【手続補正２】
【補正対象書類名】明細書
【補正対象項目名】００１０
【補正方法】変更
【補正の内容】
【００１０】
本発明の第１の態様による画質制御装置は、信号源から供給された原画像信号と、移動体の内部空間の明るさを検出する少なくとも１個の照度センサの検出出力と、前記移動体の移動状態を示す移動検出情報または前記移動体の位置を示す位置検出情報とを入力として、前記移動体の内部空間に配置されたＮ台（Ｎは２以上の整数）の表示装置の表示画質を制御する画質制御装置であって、前記移動検出情報に基づいて、前記Ｎ台の表示装置の内の表示装置毎に前記少なくとも１個の照度センサの中から利用すべき照度センサを選択する照度選択部と、前記Ｎ台の表示装置の内の表示装置毎に当該選択された照度センサの検出出力に基づいて前記表示画質を個別に制御する画質制御部とを備えることを特徴とする。
【手続補正３】
【補正対象書類名】明細書
【補正対象項目名】００１２
【補正方法】変更
【補正の内容】
【００１２】
本発明の第３の態様による画質制御方法は、信号源から供給された原画像信号と、移動体の内部空間の少なくとも１箇所の明るさを検出する少なくとも１個の照度センサの検出出力と、前記移動体の移動状態を示す移動検出情報または前記移動体の位置を示す位置検出情報とを入力として、前記移動体の内部空間に配置されたＮ台（Ｎは２以上の整数）の表示装置の表示画質を制御する画質制御方法であって、前記移動検出情報に基づいて、前記Ｎ台の表示装置の内の表示装置毎に前記少なくとも１個の照度センサの中から利用すべき照度センサを選択するステップと、前記Ｎ台の表示装置の内の表示装置毎に当該選択された照度センサの検出出力に基づいて前記表示画質を個別に制御するステップとを含むことを特徴とする。
【手続補正４】
【補正対象書類名】明細書
【補正対象項目名】００６５
【補正方法】変更
【補正の内容】
【００６５】
本実施の形態の画像表示システム１０は、乗用車両２以外の車両にも適用され得る。図７（Ａ）は、画像表示システム１０の表示装置２１〜２４及び２個の照度センサ３１，３２を有する鉄道車両の内部空間の一例を概略的に示す図である。図７（Ａ）に示されるように、一対の表示装置２１，２２が鉄道車両の一対の開閉ドア５１，５２の直上の壁面に設けられている。また、他の一対の表示装置２１，２２も鉄道車両の一対の開閉ドア５３，５４の直上の壁面に設けられている。ここで、一対の表示装置２１，２２は互いに隣り合う位置に配置され、他の一対の表示装置２３，２４も互いに隣り合う位置に配置されている。さらに、表示装置２１，２２と開閉ドア５１，５２との間の壁面には１個の照度センサ３１が設けられ、表示装置２３，２４と開閉ドア５３，５４との間の壁面にも１個の照度センサ３２が設けられている。開閉ドア５１，５２，５３，５４は、窓５１ｗ，５２ｗ，５３ｗ，５４ｗをそれぞれ有し、鉄道車両自体も大きな面積の窓５５，５６を有している。このため、鉄道車両の移動速度に応じて、周辺環境の明るさの変化の程度は異なる。たとえば、その鉄道車両が低速移動状態または静止状態のときは、照度選択部４２は、表示装置２１，２２に対しては照度センサ３１のみを選択し、表示装置２３，２４に対しては照度センサ３２のみを選択する（割り当てる）ことができる。一方、その鉄道車両が高速移動状態のとき、照度選択部４２は、表示装置２１，２２，２３，２４に対して照度センサ３１，３２を選択する（割り当てる）ことができる。
【手続補正５】
【補正対象書類名】明細書
【補正対象項目名】００６７
【補正方法】変更
【補正の内容】
【００６７】
図７（Ｂ）に示した構成において、仮に、表示装置２１に対して当該表示装置２１に最も近い照度センサ３１のみが常に選択され、表示装置２２に対しては当該表示装置２２に最も近い照度センサ３２のみが常に選択されるとすれば、表示装置２１，２２に照射される光の量が互いに異なり、表示装置２１，２２間に表示輝度の不均衡が生じたとき、両方の表示装置２１，２２を同時に視る視聴者が違和感を受けるという問題がある。このような問題を回避するには、本実施の形態の照度選択部４２が周辺環境の明るさの変化に合わせて表示装置２１，２２に対して２個の照度センサ３１，３２を選択し、これら照度センサ３１，３２の出力を利用（たとえば、照度センサ３１，３２の出力の平均を利用）すればよい。また、必ずしも４個の照度センサ３１〜３４を設ける必要は無く、図７（Ａ）に示したように表示装置２１〜２４の個数の半分の数の照度センサ３１，３２のみを設けるだけで足りる。